(57)【要約】【課題】パネルに吊りプレートや吊り用の孔を設けることなく直接取り付けることができるパネル吊り具を提案すること。【解決手段】本発明の一実施形態のパネル吊り具Ｊ１は、金属板１，２の間に芯材３を設けたパネルＰ１の吊り上げに用いられる。パネルＰ１は、金属板１，２の上端部を折り返して形成した壁部１０，２０と、この壁部１０，２０間に位置する溝部４とを有する。パネル吊り具Ｊ１は、壁部１０，２０の外側にそれぞれ配される片部７１，７２と、溝部４内に配される引掛け部７３と、吊り上げ手段に連結可能な連結部７４とを有する。引掛け部７３は、溝部４に出し入れ自在な第一姿勢と、壁部１０，２０に引っ掛かる第二姿勢との間で回転自在であり、第二姿勢にある引掛け部７３と片部７１，７２とで、壁部１０，２０を挟持するように設けられている。【選択図】図５
2016121442.tif 000002
【特許請求の範囲】
【請求項１】
第一金属板と第二金属板の間に芯材を設けたサンドイッチパネルの吊り上げに用いられるパネル吊り具であって、
前記サンドイッチパネルは、
前記第一金属板の上端部を折り返して形成した第一壁部と、
前記第二金属板の上端部を折り返して形成した第二壁部と、
前記第一壁部と前記第二壁部との間に位置する溝部とを有し、
前記パネル吊り具は、
前記第一壁部のパネル厚み方向外側に配置される第一片部と、
前記第二壁部のパネル厚み方向外側に配置される第二片部と、
前記溝部内に配置される引掛け部と、
吊り上げ手段に対して連結可能に設けた連結部とを有し、
前記引掛け部は、
前記溝部に出し入れ自在な第一姿勢と、前記溝部内で前記第一壁部及び前記第二壁部に引っ掛かる第二姿勢との間で回転自在であり、
前記第二姿勢にある前記引掛け部と前記第一片部とで前記第一壁部を挟持し、且つ前記第二姿勢にある前記引掛け部と前記第二片部とで前記第二壁部を挟持するように設けたことを特徴とするパネル吊り具。
【請求項２】
前記引掛け部は、前記第二姿勢にあるときに、前記第一壁部の内側面と前記第二壁部の内側面のうち少なくとも一方を凹状に変形させた状態で引っ掛かることを特徴とする請求項１に記載のパネル吊り具。
【請求項３】
前記第一壁部は、その内側面に凹部を有し、
前記引掛け部は、前記第二姿勢にあるときに、前記凹部に嵌った状態で前記第一壁部に引っ掛かり、且つ前記第二壁部の内側面を凹状に変形させた状態で前記第二壁部に引っ掛かることを特徴とする請求項１に記載のパネル吊り具。
【請求項４】
前記パネル吊り具は、
前記第一壁部及び前記第二壁部の上に載せて配置される上カバー部を更に有し、
前記第二姿勢にある前記引掛け部と前記上カバー部とで、前記第一壁部及び前記第二壁部を上下方向に挟み込むように設けたことを特徴とする請求項１乃至３のいずれか１項に記載のパネル吊り具。
【請求項５】
前記パネル吊り具は、前記引掛け部を一体に回転させる操作レバーを更に有し、
前記操作レバーは、下方に突出する突出部を有し、
前記引掛け部を前記第二姿勢としたときに、前記突出部が前記溝部内に位置して前記引掛け部の回転を規制するように設けたことを特徴とする請求項１乃至４のいずれか１項に記載のパネル吊り具。
【発明の詳細な説明】
【技術分野】
【０００１】
本発明は、パネル吊り具に関し、詳しくは、サンドイッチパネルの吊り上げに用いられるパネル吊り具に関する。
【背景技術】
【０００２】
特許文献１には、パネルが備える吊りプレートに、クレーンに連結されたパネル吊り具を取り付けて、パネルを吊り上げる方法が提案されている。
【０００３】
特許文献１のパネルには、固定プレートがスクリュー釘により固定されており、この固定プレートに吊りプレートが回動自在に取り付けられている。
【先行技術文献】
【特許文献】
【０００４】
【特許文献１】特開２０００−５４６３７号公報
【発明の概要】
【発明が解決しようとする課題】
【０００５】
特許文献１のパネル吊り具を用いる場合、パネルに吊りプレートを取り付ける必要があり、そのため、施工コストが嵩むといった問題や、パネルにスクリュー釘による孔ができ、この孔を通じて雨水がパネル内部に浸み込むといった問題がある。
【０００６】
上記事情を鑑みて、本発明は、パネルに吊りプレートや吊り用の孔を設けることなく直接取り付けることができるパネル吊り具を提案することを課題とする。
【課題を解決するための手段】
【０００７】
上記課題を解決するための本発明は、第一金属板と第二金属板の間に芯材を設けたサンドイッチパネルの吊り上げに用いられるパネル吊り具であって、前記サンドイッチパネルは、前記第一金属板の上端部を折り返して形成した第一壁部と、前記第二金属板の上端部を折り返して形成した第二壁部と、前記第一壁部と前記第二壁部との間に位置する溝部とを有し、前記パネル吊り具は、前記第一壁部のパネル厚み方向外側に配置される第一片部と、前記第二壁部のパネル厚み方向外側に配置される第二片部と、前記溝部内に配置される引掛け部と、吊り上げ手段に対して連結可能に設けた連結部とを有し、前記引掛け部は、前記溝部に出し入れ自在な第一姿勢と、前記溝部内で前記第一壁部及び前記第二壁部に引っ掛かる第二姿勢との間で回転自在であり、前記第二姿勢にある前記引掛け部と前記第一片部とで前記第一壁部を挟持し、且つ前記第二姿勢にある前記引掛け部と前記第二片部とで前記第二壁部を挟持するように設けたことを特徴とする。
【発明の効果】
【０００８】
本発明のパネル吊り具は、パネルに吊りプレートや吊り用の孔を設けることなく直接取り付けることができる。
【図面の簡単な説明】
【０００９】
【図１】本発明の第一実施形態のパネル吊り具が第一姿勢にあるときの状態を示し、図１Ａは背面図であり、図１Ｂは平面図であり、図１Ｃは図１Ｂのａ―ａ線における断面図であり、図１Ｄは下面図である。
【図２】同上のパネル吊り具が第二姿勢にあるときの状態を示し、図２Ａは背面図であり、図２Ｂは平面図であり、図２Ｃは図２Ｂのｂ―ｂ線における断面図であり、図２Ｄは下面図である。
【図３】同上のパネル吊り具が取り付けられるサンドイッチパネルを示す側断面図である。
【図４】図４Ａは同上のサンドイッチパネルを２枚上下に接続した接続構造を示す側断面図であり、図４Ｂはパネルに負の風荷重がかかったときの接続構造を示す側断面図である。
【図５】図５Ａ〜図５Ｅは同上のパネル吊り具の使用方法を示す説明図であり、図５Ａは第一姿勢にあるパネル吊り具のサンドイッチパネルへの取り付け状態を示す平面図であり、図５Ｂは図５Ａのｃ―ｃ線における断面図であり、図５Ｃは第二姿勢にあるパネル吊り具のサンドイッチパネルへの取り付け状態を示す平面図であり、図５Ｄは図５Ｃのｄ―ｄ線における断面図であり、図５Ｅは第二姿勢にあるパネル吊り具のサンドイッチパネルへの取り付け状態を示す正面図である。
【図６】同上のパネル吊り具を用いたパネルの吊り上げを示す説明図である。
【図７】同上のパネル吊り具を他のサンドイッチパネルに取り付けた状態を示す側断面図であり、図７Ａは第一姿勢にあるパネル吊り具を示す図であり、図７Ｂは第二姿勢にあるパネル吊り具を示す図である。
【図８】本発明の第二実施形態のパネル吊り具が第一姿勢にあるときの状態を示し、図８Ａは背面図であり、図８Ｂは平面図であり、図８Ｃは図８Ｂのｅ―ｅ線における断面図であり、図８Ｄは下面図である。
【図９】本発明の第二実施形態のパネル吊り具が第二姿勢にあるときの状態を示し、図９Ａは背面図であり、図９Ｂは平面図であり、図９Ｃは図９Ｂのｆ―ｆ線における断面図であり、図９Ｄは下面図である。
【発明を実施するための形態】
【００１０】
本発明を添付図面に示す実施形態に基づいて説明する。
【００１１】
図１Ａ〜図１Ｄ及び図２Ａ〜図２Ｄには、本発明の第一実施形態のパネル吊り具Ｊ１が示されている。本実施形態のパネル吊り具Ｊ１は、サンドイッチパネルＰ１（以下「パネルＰ１」と記載する）の吊り上げに用いられる。
【００１２】
パネルＰ１は、図３に示すように、第一金属板１と第二金属板２との間に芯材３を設けた板体である。２枚の金属板１，２はそれぞれ、接着剤を介して芯材３に取り付けられている。
【００１３】
金属板１，２は、厚みが０．２５〜１．６ｍｍ程度の薄板材である。金属板１，２は、Ａｌ、Ｆｅ、Ｃｕ、ステンレス鋼等の各種金属板、アルミニウム−亜鉛合金メッキ鋼板、カラー鋼板、ホーロー鋼板、フッ素樹脂塗装鋼板、クラッド鋼板、サンドイッチ鋼板等のうちの一種を、プレス成形、押出成形、ロール成形等によって成形したものである。
【００１４】
芯材３は、ロックウールやグラスウールやセラミックファイバーなどの無機繊維体、またはウレタンフォームやフェノールフォームなどの樹脂発泡体等の板体である。芯材３のうち、上下の端部に配置される端部芯材３０としては、硬質であり、且つ耐火性を有する石膏ボードや珪酸カルシウム等の無機質材料が好適に用いられる。なお、芯材３は、全体が同じ材質であってもよい。
【００１５】
パネルＰ１は、図４Ａに示すように、上下に並べて胴縁等の下地材Ｂ１に取り付けられて、建物の外壁等の壁をなす。以下では、下地材Ｂ１に対してパネルＰ１が配置される側を屋外側とし、その反対側を屋内側とし、下地材Ｂ１の屋外側の面に沿う水平方向を左右方向とし、下地材Ｂ１の屋外側の面に沿う鉛直方向を上下方向として、各構成について説明する。
【００１６】
パネルＰ１は、左右方向を長手方向とし、上下方向を短手方向とし、屋内外方向を厚み方向とする板体である。パネルＰ１は、第一金属板１が屋外側に位置し、第二金属板２が屋内側に位置するように、下地材Ｂ１に取り付けられる。
【００１７】
パネルＰ１は、図３に示すように、上端部に、第一壁部１０と、第二壁部２０と、第一壁部１０と第二壁部２０との間に位置する溝部４とを有する。第一壁部１０は、第一金属板１の上端部を中空に折り返して形成され、第二壁部２０は、第二金属板２の上端部を中空に折り返して形成される。また、パネルＰ１は、下端部に、凸部５を有する。上下に並ぶパネルＰ１は、図４Ａに示すように、上側に位置するパネルＰ２の下端部の凸部５と、下側に位置するパネルＰ３の上端部の溝部４とを嵌合させることによって接続される。
【００１８】
第一壁部１０は、図３及び図４Ａに示すように、内側面（屋内側の面）の下端部に、凹部１１を有する。凹部１１は、Ｌ字状であり、下方程外側に位置するように斜めに傾斜した上底部１１０と、上底部１１０の下端に連続し下方程内側に位置するように斜めに傾斜した下底部１１１とを有する。また、凸部５は、屋外側の面の下端部に、係止用突起５０を有する。係止用突起５０は、中空のＶ字状である。凹部１１と係止用突起５０は、上下に並ぶパネルＰ２，Ｐ３が嵌合により接続された状態で、屋内外方向に離れて位置するように設けられている。
【００１９】
また、パネルＰ１は、その下端部に、折り返しスカート部１２と折り返し部２１とを有する。折り返しスカート部１２は、凸部５の屋外側に凸部５から離れて位置し、折り返し部２１は、凸部５の屋内側に凸部５から離れて位置する。
【００２０】
パネルＰ１は、第一壁部１０の下方の外側面（屋外側の面）に、凹段部１３を有する。パネルＰ１は、凹段部１３にねじ等の固定具６が打ち込まれることによって、上端部が下地材Ｂ１に固定される。上下に並ぶパネルＰ２，Ｐ３はそれぞれ上端部が固定具６によって下地材Ｂ１に固定され、上側のパネルＰ２の下端部が、下側のパネルＰ３の上端部に嵌合により接続されることによって、下地材Ｂ１の屋外側の面に上下方向に亘って当たった状態で位置決めされる。
【００２１】
第一金属板１は、屋外側に露出する平坦な化粧面部１４を有する。この化粧面部１４が、パネルＰ１において最も屋外側に位置する部位である。第一壁部１０は、化粧面部１４よりも折り返しスカート部１２の屋内外方向の厚み分だけ屋内側に位置する。また、凹段部１３は、第一壁部１０の外側面よりも更に屋内側に位置する。凹段部１３は、固定具６の頭部の屋内外方向の厚み分程度、第一壁部１０の外側面よりも屋内側に位置する。なお、折り返しスカート部１２の外側面は、化粧面部１４と面一である。
【００２２】
第二金属板２は、屋内側に露出する平坦な化粧面部２２を有する。この化粧面部２２が、パネルＰ１において最も屋内側に位置する部位である。第二壁部２０は、化粧面部２２よりも折り返し部２１の屋内外方向の厚み分だけ屋外側に位置する。なお、折り返し部２１の外側面（屋内側の面）は、化粧面部２２と面一である。
【００２３】
上下に並ぶパネルＰ２，Ｐ３が下地材Ｂ１に固定された状態のときに、折り返しスカート部１２は、第一壁部１０と凹段部１３の屋外側に位置して、凹段部１３に打ち込まれた固定具６の頭部を屋外側に対して覆う。またこのとき、折り返し部２１は、第二壁部２０の屋内側に位置する。
【００２４】
パネルＰ１を上下に並べて下地材Ｂ１に固定した取付構造では、風等による負圧がパネルＰ１にかかって、上側のパネルＰ２の下端部が屋外側へと位置ずれした際に、図４Ｂに示すように、係止用突起５０が凹部１１に係止される。これにより、上側のパネルＰ２の下端部の凸部５が、下側のパネルＰ３の上端部の第一壁部１０を屋外側に乗り越えて、上下に並ぶパネルＰ２，Ｐ３の接続が外れることが抑制される。
【００２５】
上述したパネルＰ１の吊り上げに用いられるパネル吊り具Ｊ１は、パネルＰ１の上端部に取り付けて用いられる。パネル吊り具Ｊ１は、図１Ａ〜図１Ｄ及び図２Ａ〜図２Ｄに示すように、上カバー部７０と、第一片部７１と、第二片部７２と、引掛け部７３と、連結部７４と、操作レバー７５とを有する。
【００２６】
上カバー部７０は、パネル吊り具Ｊ１をパネルＰ１の上端部に取り付ける際に、第一壁部１０及び第二壁部２０の上に載せて配置される。また、この取り付けの際に、第一片部７１は、第一壁部１０のパネル厚み方向外側（つまり屋外側）に配置され、第二片部７２は、第二壁部２０のパネル厚み方向外側（つまり屋内側）に配置され、引掛け部７３は、溝部４内に配置される。連結部７４は、吊り上げ手段９（図６参照）に対して連結可能に設けられている。
【００２７】
上カバー部７０は、図１Ａ乃至図１Ｄ及び図２Ａ乃至図２Ｄに示すように、本実施形態では、平面視矩形状の板体である。上カバー部７０は、左右方向を長手方向とし、屋内外方向を短手方向とし、上下方向を厚み方向とする板体である。第一片部７１は、上カバー部７０の屋外側の端部から下方に突出している。第一片部７１は、上カバー部７０の屋外側の端部に左右方向の全長に亘って設けられている。第二片部７２は、上カバー部７０の屋内側の端部から下方に突出している。第二片部７２は、上カバー部７０の屋内側の端部に左右方向の全長に亘って設けられている。
【００２８】
第一片部７１と第二片部７２との間の距離Ｌ１は、第一壁部１０の外側面から第二壁部２０の外側面までの距離Ｌ２と略同じである。また、第一片部７１の屋内外方向の厚みは、パネルＰ１の折り返しスカート部１２の屋内外方向の厚みと略同じであり、第二片部７２の屋内外方向の厚みは、パネルＰ１の折り返し部２１の屋内外方向の厚みと略同じである。
【００２９】
上カバー部７０は、その下面のうち第一片部７１の突出箇所の内側に、第一壁部１０の上端部が挿入される第一挿入溝７６を有する。また、上カバー部７０は、その下面のうち第二片部７２の突出箇所の内側に、第二壁部２０の上端部が挿入される第二挿入溝７７を有する。第一挿入溝７６は、第一壁部１０の上端部の形状と略同じであり、第二挿入溝７７は、第二壁部２０の上端部の形状と略同じである。第一挿入溝７６と第二挿入溝７７はそれぞれ、上カバー部７０の下面に左右方向の全長に亘って設けられている。第一挿入溝７６と第二挿入溝７７との間の距離は、第一壁部１０の上端部と第二壁部２０の上端部との間の距離と同じである。
【００３０】
引掛け部７３は、上カバー部７０の下面の屋内外方向の中央部に回転自在に取り付けられている。引掛け部７３は、回転することによって、溝部４に出し入れ自在な第一姿勢と、溝部４内に位置し第一壁部１０及び第二壁部２０に引っ掛かる第二姿勢とに切替自在である。つまり、引掛け部７３は、図１Ｃ及び図１Ｄに示す第一姿勢と、図２Ｃ及び図２Ｄに示す第二姿勢とに切替自在である。
【００３１】
引掛け部７３は、長板状であり、図１Ｄに示すように、短手方向の長さＬ３が第一壁部１０の内側面から第二壁部２０の内側面までの最短距離Ｌ４よりも短い。そして、引掛け部７３は、長手方向の長さＬ５が前記最短距離Ｌ４よりも長く、第一片部７１と第二片部７２との間の距離Ｌ１よりも短い。第一姿勢にあるときの引掛け部７３は、図１Ｄに示すように、長手方向が左右方向に対して略平行となり、第二姿勢にあるときの引掛け部７３は、図２Ｄに示すように、短手方向が左右方向に対して略平行となる。
【００３２】
引掛け部７３は、下方から視て、互いに平行な一対の長辺７３０と、外側に凸の円弧状の一対の短辺７３１とを有する。一対の長辺７３０間の距離が、引掛け部７３の短手方向の長さＬ３であり、一対の短辺７３１間の最長距離が、引掛け部７３の長手方向の長さＬ５である。引掛け部７３は、回転中心に対して点対称に設けられている。
【００３３】
引掛け部７３は、第二姿勢にあるときに、図２Ｃに示すように、長手方向の端面が第一壁部１０の凹部１１に嵌り込んで、凹部１１の上底部１１０と下底部１１１とにそれぞれ当たるように、長手方向の両端面の形状が決められている。
【００３４】
引掛け部７３は、本実施形態では、図１Ｄに示すように、上カバー部７０の下面に２つ設けられている。２つの引掛け部７３は、左右方向に距離をおいて配置されており、回転の際に互いに非接触となるように配置されている。
【００３５】
引掛け部７３は、上カバー部７０に回転自在に挿通された軸７８の下端に固定されている。上カバー部７０よりも上方に突出する軸７８の上端には、ナット７９と操作レバー７５とが固定されている。
【００３６】
操作レバー７５は、長尺な矩形板状であり、長手方向の一端部が軸７８に固定されている。操作レバー７５の短手方向の長さは、第一壁部１０の内側面から第二壁部２０の内側面までの最短距離Ｌ４よりも短い。操作レバー７５は、その長手方向が引掛け部７３の長手方向に対して直交するように軸７８に固定されている。
【００３７】
そのため、操作レバー７５は、図１Ｂ及び図１Ｄに示すように、その長手方向が屋内外方向と略平行となる第一位置にあるときに、引掛け部７３が前記第一姿勢となる。そして、操作レバー７５は、図２Ｂ及び図２Ｄに示すように、その長手方向が左右方向と略平行となる第二位置にあるときに、引掛け部７３が前記第二姿勢となる。これにより、平面視にて、操作レバー７５の位置から引掛け部７３の姿勢を確認することができる。
【００３８】
操作レバー７５は、図２Ａに示すように、長手方向の他端部に下方に突出する突出部８を有する。以下、軸７８に固定されている長手方向の一端部を、固定側の長手方向の端部と記載し、突出部８を有する長手方向の他端部を、操作側の長手方向の端部と記載する。突出部８は、操作レバー７５の操作側の長手方向の端部に短手方向の全長に亘って形成されており、矩形板状である。
【００３９】
突出部８は、先端（下端）の高さ位置が、上カバー部７０の挿入溝７６，７７の溝底面の高さ位置よりも低くなるように形成されている。つまり、上カバー部７０を第一壁部１０及び第二壁部２０の上に載置した状態において、突出部８の先端（下端）の高さ位置は、第一壁部１０及び第二壁部２０の上端よりも低くなるように形成されている。
【００４０】
操作レバー７５は、２つの引掛け部７３にそれぞれ、個別に取り付けられている。そのため、本実施形態のパネル吊り具Ｊ１は、操作レバー７５を２つ有する。２つの操作レバー７５は、固定側の長手方向の端部が、左右方向に距離をおいて位置する。
【００４１】
２つの操作レバー７５はそれぞれ、図１Ｂに示す第一位置から図２Ｂに示す第二位置へと回転させることができる。第一位置にあるとき２つの操作レバー７５はその長手方向が互いに略平行であり、第二位置にあるとき２つの操作レバー７５はその長手方向が略一直線上に位置する。２つの操作レバー７５は、それぞれ個別に操作可能である。
【００４２】
操作レバー７５は、厚み方向に多少の可撓性を有する。そのため、操作レバー７５は、操作側の長手方向の端部を持ち上げることにより、突出部８の先端の高さ位置を上方にずらすことが可能である。したがって、操作レバー７５を第一位置から第二位置へと移動させる際に、操作側の長手方向の端部を持ち上げることにより、突出部８に第一壁部１０を乗り越えさせて、突出部８を溝部４内へと導入することができる。
【００４３】
連結部７４は、上カバー部７０の上面に回転自在に取り付けられている。連結部７４は、平面視にて、２つの軸７８間に位置する。詳しくは、上カバー部７０の屋内外方向及び左右方向の中央部には下方からボルト８０の軸部が回転自在に挿通されており、ボルト８０の軸部のうち上カバー部７０よりも上方に突出した上端部に、連結部７４の下端部が固定されている。連結部７４は、リング状である。
【００４４】
続いて、上述した本実施形態のパネル吊り具Ｊ１を用いたパネルＰ１の吊り上げ方法の一例について説明する。
【００４５】
まず、図５Ａ及び図５Ｂに示すように、２つの操作レバー７５をその長手方向が屋内外方向と略平行となるように第一位置に位置させて引掛け部７３を第一姿勢とした状態のパネル吊り具Ｊ１を、パネルＰ１の上端部に取り付ける。このとき、上カバー部７０を第一壁部１０及び第二壁部２０の上に載置して、上カバー部７０の第一挿入溝７６に第一壁部１０の上端部を嵌め込み、第二挿入溝７７に第二壁部２０の上端部を嵌め込む。またこのとき、第一片部７１が第一壁部１０の外側面に当たった状態で第一壁部１０の外側に配置され、第二片部７２が第二壁部２０の外側面に当たった状態で第二壁部２０の外側に配置され、第一姿勢にある引掛け部７３が溝部４内に配置される。
【００４６】
次いで、図５Ｃ及び図５Ｄに示すように、２つの操作レバー７５を、その長手方向が一直線上となる第二位置まで回転させて、引掛け部７３を第二姿勢とする。このとき、第二姿勢にある引掛け部７３は、長手方向の一方の端部が、第一壁部１０の凹部１１に嵌った状態で第一壁部１０に引っ掛かり、第二姿勢にある引掛け部７３と第一片部７１とで第一壁部１０を挟持する。またこのとき、第二姿勢にある引掛け部７３は、長手方向の他方の端部が、第二壁部２０の内側面（屋外側の面）を外側（屋内側）に押圧して凹状に変形させた状態で、第二壁部２０に引っ掛かり、第二姿勢にある引掛け部７３と第二片部７２とで第二壁部２０を挟持する。
【００４７】
またこのとき、第二姿勢にある引掛け部７３と上カバー部７０とで、第一壁部１０と第二壁部２０をそれぞれ上下方向に挟み込む。このように、第一壁部１０及び第二壁部２０を屋内外方向及び上下方向に挟み込むことによって、パネルＰ１を吊り上げる際に、第一壁部１０及び第二壁部２０がパネルＰ１の自重等によって変形して、第二姿勢にある引掛け部７３の引掛かりが外れることを抑制できる。またこのとき、本実施形態では、第一挿入溝７６に第一壁部１０の上端部が嵌り込み、第二挿入溝７７に第二壁部２０の上端部が嵌り込んでいるため、第一壁部１０及び第二壁部２０が内側に変形することを、第一挿入溝７６と第二挿入溝７７によっても抑制できる。
【００４８】
２つの操作レバー７５を第一位置から第二位置へと回転させる際に、２つの操作レバー７５はそれぞれ、操作側の長手方向の端部を持ち上げて、突出部８に第一壁部１０を乗り越えさせて、突出部８を溝部４内に導入する。このようにすることで、突出部８の回転移動が第一壁部１０及び第二壁部２０によって規制されることとなり、外部から力がかかる等して引掛け部７３が第二姿勢から第一姿勢へと戻ることが抑制される。またこのとき、２つの操作レバー７５は、平面視にて第一壁部１０と第二壁部２０との間に収まるため、パネルＰ１の移動の際に、操作レバー７５が外部の何かに接触して回転することを抑制できる。
【００４９】
以上のようにして、パネル吊り具Ｊ１を、パネルＰ１の上端部に、左右方向に距離をおいて２つ取り付ける。２つのパネル吊り具Ｊ１は、パネルＰ１をバランスよく吊り上げできるようにその配置が決められる。
【００５０】
次いで、各パネル吊り具Ｊ１の連結部７４に、吊り上げ手段９を連結する。吊り上げ手段９は、図６に示すように、２つのパネル吊り具Ｊ１にそれぞれ連結される２本の第一ワイヤー９０と、２本の第一ワイヤー９０がスライド自在に連結されたスライドレール９１と、スライドレール９１に固定された２本の第二ワイヤー９２と、第二ワイヤー９２が連結されたクレーン（図示せず）とを有する。なお、吊り上げ手段９は、上記のものに限らず、クレーンと、クレーンに連結された第一ワイヤー９０のみを有するものであってもよい。なお、パネルＰ１に各パネル吊り具Ｊ１を取り付ける前に、各パネル吊り具Ｊ１の連結部７４に吊り上げ手段９を連結しておいてもよい。
【００５１】
次いで、パネルＰ１に取り付けられた各パネル吊り具Ｊ１を吊り上げ手段９で吊り上げ、下地材Ｂ１の屋外側の設置位置へパネルＰ１を移動させる。設置後、２つの操作レバー７５を第一位置まで回転させて、パネル吊り具Ｊ１をパネルＰ１から取り外す。
【００５２】
以上説明した本実施形態のパネル吊り具Ｊ１は、パネルＰ１が有する構成（第一壁部１０と第二壁部２０）を利用して、パネルＰ１に取り付けることができる。そのため、本実施形態のパネル吊り具Ｊ１は、パネルＰ１に吊りプレートや吊り用の孔を設けることなく直接取り付けることができて、施工コストを抑えることができ、また、パネルＰ１に形成された吊り用の孔から雨水がパネル内部に浸み込むことを防止できる。
【００５３】
上述した実施形態のパネル吊り具Ｊ１は、図７Ａ及び図７Ｂに示すように、第一壁部１０の内側面に凹部１１を有さないパネルＰ４の吊り上げにも用いることができる。この場合、第二姿勢にある引掛け部７３は、第一壁部１０の内側面及び第二壁部２０の内側面をそれぞれ凹状に変形させた状態で第一壁部１０及び第二壁部２０にそれぞれ引っ掛かり、第一片部７１及び第二片部７２とで第一壁部１０及び第二壁部２０を挟持する。またこの場合、第二姿勢にある引掛け部７３と上カバー部７０とで、第一壁部１０及び第二壁部２０を上下方向に挟み込む。またこの場合、上カバー部７０の第一挿入溝７６に第一壁部１０の上端部が嵌り込み、第二挿入溝７７に第二壁部２０の上端部が嵌り込むため、第一壁部１０及び第二壁部２０が内側に変形することを、第一挿入溝７６と第二挿入溝７７によっても抑制できる。
【００５４】
なお、上述した実施形態では、引掛け部７３として、その短手方向の長さＬ３が、第一壁部１０と第二壁部２０との間の最短距離Ｌ４よりも短いものを例として説明したが、これに限定されない。つまり、引掛け部７３は、第一姿勢において、溝部４に出し入れ自在なサイズであればよく、溝部４への出し入れの際に、第一壁部１０や第二壁部２０に接触する短手方向の長さＬ３を有するものであってもよい。
【００５５】
続いて、図８に示す本発明の第二実施形態のパネル吊り具Ｊ２について説明する。以下では、本実施形態のパネル吊り具Ｊ２について、第一実施形態のパネル吊り具Ｊ１と同じ構成については図中に同じ符号を付けて説明を省略し、異なる構成については詳しく説明する。
【００５６】
本実施形態のパネル吊り具Ｊ２は、上カバー部７０に、引掛け部７３が１つだけ設けられている。そして、引掛け部７３は、その長手方向の長さＬ５が、第一片部７１と第二片部７２との間の距離Ｌ１よりも若干長い。これに対応して、第一片部７１及び第二片部７２はそれぞれ、下端面の左右方向の中央部に、切欠き８１を有する。切欠き８１は、引掛け部７３の回転を妨げないように、位置、幅、深さが決められている。連結部７４は、軸７８の上端部に、ナット７９の代わりに固定されている。
【００５７】
続いて、上述した本実施形態のパネル吊り具Ｊ２を用いたパネルＰ１の吊り上げ方法の一例について説明する。
【００５８】
まず、操作レバー７５をその長手方向が屋内外方向と略平行となるように第一位置に位置させて引掛け部７３を第一姿勢とした状態のパネル吊り具Ｊ２を、パネルＰ１の上端部に取り付ける。このとき、上カバー部７０を第一壁部１０及び第二壁部２０の上に載置して、上カバー部７０の第一挿入溝７６に第一壁部１０の上端部を嵌め込み、第二挿入溝７７に第二壁部２０の上端部を嵌め込む。このとき、第一片部７１が第一壁部１０の外側面に当たった状態で第一壁部１０の外側に配置され、第二片部７２が第二壁部２０の外側面に当たった状態で第二壁部２０の外側に配置され、第一姿勢にある引掛け部７３が溝部４内に配置される。
【００５９】
次いで、操作レバー７５を、平面視において、第一壁部１０と第二壁部２０の間に位置する第二位置まで回転させて、引掛け部７３を第二姿勢とする。このとき、第二姿勢にある引掛け部７３は、長手方向の一方の端部が、第一壁部１０の凹部１１に嵌り且つ第一壁部１０の内側面と外側面を外側に押圧して凹状に変形させた状態で、第一壁部１０に引っ掛かり、引掛け部７３と第一片部７１とで第一壁部１０を挟持する。ここで、引掛け部７３は、第一壁部１０の内側面と外側面の凹状に変形させた部分を第一片部７１の切欠き８１内に入り込ませた状態で、引掛け部７３と第一片部７１とで第一壁部１０を挟持する。
【００６０】
またこのとき、第二姿勢にある引掛け部７３は、長手方向の他方の端部が、第二壁部２０の内側面と外側面を外側に押圧して凹状に変形させた状態で、第二壁部２０に引っ掛かり、引掛け部７３と第二片部７２とで第二壁部２０を挟持する。ここで、引掛け部７３は、第二壁部２０の内側面と外側面の凹状に変形させた部分を第二片部７２の切欠き８１内に入り込ませた状態で、引掛け部７３と第二片部７２とで第二壁部２０を挟持する。
【００６１】
またこのとき、第二姿勢にある引掛け部７３と上カバー部７０とで、第一壁部１０と第二壁部２０をそれぞれ上下方向に挟み込む。このように、第一壁部１０及び第二壁部２０を屋内外方向及び上下方向に挟み込むことによって、パネルＰ１を吊り上げる際に、第一壁部１０及び第二壁部２０がパネルＰ１の自重等によって更に変形して、第二姿勢にある引掛け部７３の引掛かりが外れることを抑制できる。またこのとき、上カバー部７０の第一挿入溝７６に第一壁部１０の上端部が嵌り込み、第二挿入溝７７に第二壁部２０の上端部が嵌り込むため、第一壁部１０及び第二壁部２０が内側に変形することを、第一挿入溝７６と第二挿入溝７７によっても抑制できる。
【００６２】
操作レバー７５を第一位置から第二位置へと回転させる際に、操作レバー７５は、操作側の長手方向の端部を持ち上げて、突出部８に第一壁部１０を乗り越えさせて、突出部８を溝部４内に導入する。このようにすることで、突出部８の回転移動が第一壁部１０及び第二壁部２０によって規制されることとなり、外部から力がかかる等して引掛け部７３が第二姿勢から第一姿勢へと戻ることを抑制できる。
【００６３】
以上のようにして、パネル吊り具Ｊ２を、パネルＰ１の上端部に、左右方向に距離をおいて２つ取り付ける。２つのパネル吊り具Ｊ２は、パネルＰ１をバランスよく吊り上げできるようにその配置が決められる。
【００６４】
次いで、各パネル吊り具Ｊ２の連結部７４に、吊り上げ手段９を連結する。なお、パネルＰ１にパネル吊り具Ｊ２を取り付ける前に、パネル吊り具Ｊ２の連結部７４に、吊り上げ手段９を連結しておいてもよい。
【００６５】
次いで、パネルＰ１に取り付けられた各パネル吊り具Ｊ２を吊り上げ手段９で吊り上げ、下地材Ｂ１の屋外側の設置位置までパネルＰ１を移動させる。設置後、操作レバー７５を第一位置まで回転させて、パネル吊り具Ｊ２をパネルＰ１から取り外す。
【００６６】
以上説明した本実施形態のパネル吊り具Ｊ２は、パネルＰ１が有する構成を利用して、パネルＰ１に取り付けることができる。そのため、本実施形態のパネル吊り具Ｊ２は、パネルＰ１に吊りプレートや吊り用の孔を設けることなく直接取り付けることができる。これにより、本実施形態のパネル吊り具Ｊ２を用いたパネルＰ１の吊り上げでは、施工コストを抑えることができ、また、パネルＰ１に形成された吊り用の孔から雨水がパネル内部に浸み込むことを防止できる。
【００６７】
また、本実施形態のパネル吊り具Ｊ２は、引掛け部７３が１つであり、連結部７４が平面視にて引掛け部７３に重なる位置に設けられているので、第一実施形態のパネル吊り具Ｊ１に比べて、コンパクトに形成することができる。
【００６８】
また、本実施形態のパネル吊り具Ｊ２では、引掛け部７３によって、第一壁部１０及び第二壁部２０の内側面と外側面を凹状に変形させた状態で挟持するようにしたことで、第一壁部１０及び第二壁部２０を強く挟持することができる。
【００６９】
なお、上述した実施形態では、引掛け部７３として、その長手方向の長さＬ５が、第一片部７１と第二片部７２との間の距離Ｌ１よりも若干長いものを例として説明したが、これに限定されない。例えば、引掛け部７３は、その長手方向の長さＬ５が、前記距離Ｌ１と同じであってもよく、この場合、第一片部７１及び第二片部７２は、切欠き８１を有していなくてもよい。また、引掛け部７３は、その長手方向の長さＬ５が、前記最短距離Ｌ４よりも長く、且つ前記距離Ｌ１よりも短いものであってもよく、この場合、第一片部７１及び第二片部７２は、切欠き８１を有していなくてもよい。
【００７０】
また、上述した本実施形態のパネル吊り具Ｊ２は、第一実施形態のパネル吊り具Ｊ１と同様に、第一壁部１０の内側面に凹部１１を有さないパネルＰ４の吊り上げにも用いることができる。
【００７１】
以上まとめると、本発明のパネル吊り具は、第一及び第二実施形態のパネル吊り具Ｊ１，Ｊ２のように、下記の構成を備えることを特徴とする。
【００７２】
すなわち、本発明のパネル吊り具は、第一金属板１と第二金属板２の間に芯材３を設けたサンドイッチパネルＰ１の吊り上げに用いられるパネル吊り具である。サンドイッチパネルＰ１は、第一金属板１の上端部を折り返して形成した第一壁部１０と、第二金属板２の上端部を折り返して形成した第二壁部２０と、第一壁部１０と第二壁部２０との間に位置する溝部４とを有する。パネル吊り具は、第一壁部１０のパネル厚み方向外側に配置される第一片部７１と、第二壁部２０のパネル厚み方向外側に配置される第二片部７２と、溝部４内に配置される引掛け部７３と、吊り上げ手段９に対して連結可能に設けた連結部７４とを有する。引掛け部７３は、溝部４に出し入れ自在な第一姿勢と、溝部４内で第一壁部１０及び第二壁部２０に引っ掛かる第二姿勢との間で回転自在である。本発明のパネル吊り具は、第二姿勢にある引掛け部７３と第一片部７１とで第一壁部１０を挟持し、且つ第二姿勢にある引掛け部７３と第二片部７２とで第二壁部２０を挟持するように設けられている。
【００７３】
このような構成とすることで、本発明のパネル吊り具は、サンドイッチパネルＰ１を構成する第一金属板１と第二金属板２から形成される第一壁部１０と第二壁部２０を利用して、サンドイッチパネルＰ１に取り付けることができる。そのため、本発明のパネル吊り具は、パネルＰ１に吊りプレートや吊り用の孔を設けることなく直接取り付けることができる。これにより、本発明のパネル吊り具を用いたパネルＰ１の吊り上げでは、施工コストを抑えることができ、また、パネルＰ１に形成された吊り用の孔から雨水がパネル内部に浸み込むことを防止できる。
【００７４】
また、本発明のパネル吊り具は、第一及び第二実施形態のパネル吊り具Ｊ１，Ｊ２のように、上記の構成に加えて、更に下記の構成を備えることが好ましい。
【００７５】
すなわち、本発明のパネル吊り具では、引掛け部７３は、第二姿勢にあるときに、第一壁部１０の内側面と第二壁部２０の内側面のうち少なくとも一方を凹状に変形させた状態で引っ掛かることが好ましい。
【００７６】
このような構成とすることで、本発明のパネル吊り具は、第二姿勢にあるときの引掛け部７３を、第一壁部１０や第二壁部２０の内側面に形成される凹みに入り込ませることができる。これにより、本発明のパネル吊り具は、第一壁部１０や第二壁部２０に対する引掛け部７３の取付強度を高めることができる。
【００７７】
あるいは、本発明のパネル吊り具は、第一及び第二実施形態のパネル吊り具Ｊ１，Ｊ２のように、上記の構成に加えて、更に下記の構成を備えることが好ましい。
【００７８】
すなわち、本発明のパネル吊り具では、第一壁部１０は、その内側面に凹部１１を有し、引掛け部７３は、第二姿勢にあるときに、凹部１１に嵌った状態で第一壁部１０に引っ掛かり、且つ第二壁部２０の内側面を凹状に変形させた状態で第二壁部２０に引っ掛かることが好ましい。
【００７９】
このような構成とすることで、本発明のパネル吊り具は、第二姿勢にあるときの引掛け部７３を、第一壁部１０の凹部１１と第二壁部２０の内側面に形成される凹みに入り込ませることができる。これにより、本発明のパネル吊り具は、第一壁部１０及び第二壁部２０に対する引掛け部７３の取付強度を高めることができる。
【００８０】
また、本発明のパネル吊り具は、第一及び第二実施形態のパネル吊り具Ｊ１，Ｊ２のように、上記の構成に加えて、更に下記の構成を備えることが好ましい。
【００８１】
すなわち、本発明のパネル吊り具は、第一壁部１０及び第二壁部２０の上に載せて配置される上カバー部７０を更に有し、第二姿勢にある引掛け部７３と上カバー部７０とで、第一壁部１０及び第二壁部２０を上下方向に挟み込むように設けることが好ましい。
【００８２】
このような構成とすることで、本発明のパネル吊り具は、第二姿勢にある引掛け部７３と上カバー部７０と第一及び第二片部７１，７２によって、第一及び第二壁部１０，２０を上下方向及びパネル厚み方向の両方から挟み込んで、パネルＰ１に強固に取り付けることができる。
【００８３】
また、本発明のパネル吊り具は、第一及び第二実施形態のパネル吊り具Ｊ１，Ｊ２のように、上記の構成に加えて、更に下記の構成を備えることが好ましい。
【００８４】
すなわち、本発明のパネル吊り具は、引掛け部７３を一体に回転させる操作レバー７５を更に有し、操作レバー７５は、下方に突出する突出部８を有し、引掛け部７３を第二姿勢としたときに、突出部８が溝部４内に位置して引掛け部７３の回転を規制するように設けることが好ましい。
【００８５】
このような構成とすることで、本発明のパネル吊り具は、操作レバー７５を操作することによって、引掛け部７３を第一姿勢と第二姿勢とに簡単に切り替えることができる。また、本発明のパネル吊り具は、引掛け部７３が第二姿勢にあるとき、操作レバー７５の突出部８が溝部４内に位置して、引掛け部７３の回転が規制されるため、不意にパネル吊り具がパネルＰ１から外れることを抑制できる。
【００８６】
なお、上述した実施形態では、第一壁部１０にのみ凹部１１を有するパネルＰ１もしくは、第一壁部１０と第二壁部２０のいずれも凹部１１を有さないパネルＰ４に、パネル吊り具Ｊ１，Ｊ２を取り付ける例について説明したが、これに限定されない。つまり、本実施形態のパネル吊り具Ｊ１，Ｊ２によって吊り上げるパネルは、第一壁部１０と第二壁部２０の両方が、引掛け部７３が嵌り込む凹部を有するものであってもよい。
【００８７】
また、上述した実施形態では、操作レバー７５が回転自在に取り付けられたパネル吊り具Ｊ１，Ｊ２について説明したが、操作レバー７５は、パネル吊り具Ｊ１，Ｊ２に着脱自在に取り付けられるものであってもよい。また、操作レバー７５は、突出部８を有さないものであってもよい。
【００８８】
また、上述した実施形態では、上カバー部７０が、第一壁部１０と第二壁部２０の上に載置されて配置されるものを例として説明したが、これに限定されない。つまり、上カバー部７０は、パネル吊り具Ｊ１，Ｊ２をパネルＰ１やパネルＰ４に取り付けた状態において、第一壁部１０及び第二壁部２０から上方に離れた位置に配置されるものであってもよい。
【００８９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００９０】
１      第一金属板
２      第二金属板
３      芯材
４      溝部
８      突出部
９      吊り上げ手段
１０    第一壁部
１１    凹部
２０    第二壁部
７０    上カバー部
７１    第一片部
７２    第二片部
７３    引掛け部
７４    連結部
７５    操作レバー
Ｐ１  サンドイッチパネル
【図１】
2016121442.tif 000003
【図２】
2016121442.tif 000004
【図３】
2016121442.tif 000005
【図４】
2016121442.tif 000006
【図５】
2016121442.tif 000007
【図６】
2016121442.tif 000008
【図７】
2016121442.tif 000009
【図８】
2016121442.tif 000010
【図９】
2016121442.tif 000011